(57)【要約】【課題】香料保持体を配置した空間を空気が通過する際の通風抵抗を低減可能な香料保持構造体、香料保持構造体の製造方法、及び香り提供装置を提供する。【解決手段】香料保持構造体は、香料保持体と、香料保持体が配置される保持空間と、保持空間を外部に開放する第１の開口部及び第２の開口部と、を備え、保持空間は、第１の開口部及び第２の開口部に面する通風領域と、通風領域に隣接して配置されるとともに通風領域に連通し、香料保持体が配置される保持領域と、を有する。【選択図】図２０
2019053989.tif 000002
【特許請求の範囲】
【請求項１】
香料保持体と、
前記香料保持体が配置される保持空間と、
前記保持空間を外部に開放する第１の開口部及び第２の開口部と、を備え、
前記保持空間は、
前記第１の開口部及び前記第２の開口部に面する通風領域と、
前記通風領域に隣接して配置されるとともに前記通風領域に連通し、前記香料保持体が配置される保持領域と、を有する、香料保持構造体。
【請求項２】
前記通風領域は、前記第１の開口部と前記第２の開口部とを所定方向に沿って直線的に結び、前記保持領域は、前記通風領域に対して前記所定方向に交差する方向に隣接して配置される、請求項１に記載の香料保持構造体。
【請求項３】
前記香料保持体の前記通風領域側への移動を制限する規制部を備える、請求項１に記載の香料保持構造体。
【請求項４】
前記規制部が、前記香料保持体の一部を収容する凹部である、請求項３に記載の香料保持構造体。
【請求項５】
前記規制部が、前記通風領域と前記保持領域との間に延びるリブである、請求項３に記載の香料保持構造体。
【請求項６】
前記香料保持構造体は、複数の前記保持空間を有する、請求項１に記載の香料保持構造体。
【請求項７】
前記香料保持構造体は、香り提供装置に装着される香料カートリッジである、請求項１に記載の香料保持構造体。
【請求項８】
前記香料保持構造体は、
前記保持空間及び前記第１の開口部を有するケースと、
前記ケースに取り付けられ前記第２の開口部を有するケースカバーと、を備える、請求項１に記載の香料保持構造体。
【請求項９】
前記香料保持体の前記通風領域側への移動を制限する規制部を備える、請求項８に記載の香料保持構造体。
【請求項１０】
前記規制部が、前記ケースに設けられて前記香料保持体の一部を収容する凹部である、請求項９に記載の香料保持構造体。
【請求項１１】
前記ケースが、前記保持空間を有する第１のケース体と、前記第１のケース体に取り付けられて前記保持空間に連通する連通孔を有する第２のケース体と、を含み、
前記規制部が、前記第２のケース体に形成され前記第１のケース体の前記保持空間内に延びるリブである、請求項９に記載の香料保持構造体。
【請求項１２】
前記ケースは、複数の前記保持空間及び前記第１の開口部を有し、
前記ケースカバーは、一つの前記第２の開口部を有し、
前記ケースカバーは前記ケースに対して回転自在に取り付けられ、前記第２の開口部が複数の前記保持空間のうちのいずれかの保持空間に面する、請求項８に記載の香料保持構造体。
【請求項１３】
前記香料保持構造体は、香り提供装置に装着される香料カートリッジであり、
前記ケースカバーは、前記香料カートリッジが前記香り提供装置に装着されていないときに前記ケースの被係合部に係合し、前記香料カートリッジが前記香り提供装置に装着されているときに前記ケースの前記被係合部との係合状態が解除される係合部を有する、請求項１２に記載の香料保持構造体。
【請求項１４】
前記保持空間が、前記香料保持構造体の中心軸の周りに等間隔に配置される、請求項１２に記載の香料保持構造体。
【請求項１５】
第１の開口部が設けられる通風領域と、第１のリブによって前記通風領域と区分されて前記通風領域に隣接して配置されるとともに前記通風領域に連通する保持領域と、を有する保持空間を備えた第１のケース体を作製することと、
前記第１のケース体の前記保持領域に香料保持体又は香料保持体の基材を収容することと、
前記第１のケース体の前記保持空間に連通する連通孔及び前記第１のケース体の前記保持空間内に立設する第２のリブを有する第２のケース体を前記第１のケース体に取り付けて、前記第１のリブ及び前記第２のリブにより前記香料保持体の前記通風領域側への移動を制限してケースを作製することと、
第２の開口部を有するケースカバーを前記ケースに取り付けることと、
を含む、香料保持構造体の製造方法。
【請求項１６】
香料保持体、前記香料保持体が配置される保持空間、並びに、前記保持空間を外部に開放する第１の開口部及び第２の開口部を有する香料保持構造体と、
前記保持空間へ空気を供給する送風源と、を備え、
前記保持空間は、
前記第１の開口部及び前記第２の開口部に面する通風領域と、
前記通風領域に隣接して配置されるとともに前記通風領域に連通し、前記香料保持体が配置される保持領域と、を有する、香り提供装置。
【発明の詳細な説明】
【技術分野】
【０００１】
本開示は、香料保持構造体、香料保持構造体の製造方法、及び香り提供装置に関する。
【背景技術】
【０００２】
従来、香りを提供する香り提供装置に関する技術が提案されている。例えば、特許文献１には、香料保持体が格納された格納装置に空気を供給し、気化した香料を空気の流れによって放出させて香りを提供する技術が提案されている。具体的に、特許文献１には、香料保持体を収容する収容部と、収容部に収容された香料保持体の香りを放出する放出部と、を備え、収容部に対して連通孔を介して空気を供給し、香料保持体に保持された液体香料を気化させつつ放出部から放出させる香り提供装置が開示されている。
【先行技術文献】
【特許文献】
【０００３】
【特許文献１】特開２０１４−６７２９３号公報
【発明の概要】
【発明が解決しようとする課題】
【０００４】
しかしながら、特許文献１に開示された香り提供装置では、収容部内において、連通孔から放出部へと空気が流れる領域と香料保持体が保持された領域とが一体となっている。このため、空気が収容部内を通過する際の通風抵抗が大きくなる。したがって、収容部内を通過する空気の流速が低下し、放出される香りの流量が低下するおそれがある。【０００５】
そこで、本開示では、香料保持体を配置した空間を空気が通過する際の通風抵抗を低減して可能な、新規かつ改良された香料保持構造体、香料保持構造体の製造方法、及び香り提供装置を提供する。
【課題を解決するための手段】
【０００６】
本開示によれば、香料保持体と、香料保持体が配置される保持空間と、保持空間を外部に開放する第１の開口部及び第２の開口部と、を備え、保持空間は、第１の開口部及び第２の開口部に面する通風領域と、通風領域に隣接して配置されるとともに通風領域に連通し、香料保持体が配置される保持領域と、を有する、香料保持構造体が提供される。【０００７】
また、本開示によれば、第１の開口部が設けられる通風領域と、第１のリブによって通風領域と区分されて通風領域に隣接して配置されるとともに通風領域に連通する保持領域と、を有する保持空間を備えた第１のケース体を作製することと、第１のケース体の保持領域に香料保持体又は香料保持体の基材を収容することと、第１のケース体の保持空間に連通する連通孔及び第１のケース体の保持空間内に立設する第２のリブを有する第２のケース体を第１のケース体に取り付けて、第１のリブ及び第２のリブにより香料保持体の通風領域側への移動を制限してケースを作製することと、第２の開口部を有するケースカバーをケースに取り付けることと、を含む、香料保持構造体の製造方法が提供される。【０００８】
また、本開示によれば、香料保持体、香料保持体が配置される保持空間、並びに、保持空間を外部に開放する第１の開口部及び第２の開口部を有する香料保持構造体と、保持空間へ空気を供給する送風源と、を備え、保持空間は、第１の開口部及び第２の開口部が面する通風領域と、通風領域に隣接して配置されるとともに通風領域に連通し、香料保持体が配置される保持領域と、を有する、香り提供装置が提供される。
【発明の効果】
【０００９】
以上説明したように本開示によれば、香料保持体を配置した空間を空気が通過する際の通風抵抗を低減することができる。
なお、上記の効果は必ずしも限定的なものではなく、上記の効果とともに、又は上記の効果に代えて、本明細書に示されたいずれかの効果、または本明細書から把握され得る他の効果が奏されてもよい。
【図面の簡単な説明】
【００１０】
【図１】本開示の実施の形態に係る香り提供装置の外観を示す斜視図である。
【図２】同実施形態に係る香り提供装置の軸方向断面の斜視図である。
【図３】同実施形態に係る香料保持構造体の外観を示す斜視図である。
【図４】同実施形態に係る香料保持構造体を軸方向に見た正面図である。
【図５】同実施形態に係る香料保持構造体を軸方向に見た背面図である。
【図６】同実施形態に係る香料保持構造体の軸方向断面図である。
【図７】同実施形態に係る香料保持構造体の分解斜視図である。
【図８】同実施形態に係る香料保持構造体の第１のケース体を軸方向に見た正面図である。
【図９】同実施形態に係る香料保持構造体の第１のケース体の軸方向断面図である。
【図１０】同実施形態に係る香料保持構造体の第１のケース体の周方向断面図である。
【図１１】同実施形態に係る香料保持構造体の第２のケース体を軸方向に見た正面図である。
【図１２】同実施形態に係る香料保持構造体の第２のケース体の側面図である。
【図１３】同実施形態に係る香料保持構造体の第２のケース体を軸方向に見た背面図である。
【図１４】同実施形態に係る香料保持構造体の第２のケース体の軸方向断面図である。
【図１５】同実施形態に係る香料保持構造体のケースカバーを軸方向に見た正面図である。
【図１６】同実施形態に係る香料保持構造体のケースカバーの側面図である。
【図１７】同実施形態に係る香料保持構造体のケースカバーを軸方向に見た背面図である。
【図１８】同実施形態に係る香料保持構造体のケースカバーの軸方向断面図である。
【図１９】香料保持体を収容した第１のケース体を軸方向に見た図である。
【図２０】保持空間の構成例を示す断面図である。
【図２１】同実施形態に係る香料保持構造体のプリズム体を軸方向に見た正面図である。
【図２２】同実施形態に係る香料保持構造体のプリズム体の軸方向断面図である。
【図２３】香り提供装置のシステム構成の一例を示すブロック図である。
【図２４】香り提供装置のシステム構成の他の例を示すブロック図である。
【図２５】同実施形態に係る香り提供装置の軸方向断面の斜視図である。
【図２６】同実施形態に係る香り提供装置の回転ロック機構を示す説明図である。
【図２７】同実施形態に係る香り提供装置の回転ロック機構の動作を示す説明図である。
【図２８】同実施形態に係る香り提供装置の回転ロック機構の動作を示す説明図である。
【図２９】同実施形態に係る香り提供装置の回転ロック機構の動作を示す説明図である。
【図３０】同実施形態に係る香料保持構造体の回転規制機構の動作を示す説明図である。
【図３１】同実施形態に係る香料カートリッジの製造方法の第２工程を示す説明図である。
【図３２】同実施形態に係る香料カートリッジの製造方法の第３工程を示す説明図である。
【図３３】同実施形態に係る香料カートリッジの製造方法の第４工程を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．香り提供装置の概要
２．香料カートリッジ（香料保持構造体）の構成例
３．香り提供装置の構成例
４．香料カートリッジ（香料保持構造体）の製造方法
【００１３】
以下の説明において、香りの吹き出し方向を前方側あるいは先端側といい、その逆方向を後方側あるいは後端側という場合がある。
【００１４】
＜１．香り提供装置の概要＞
まず、本開示の実施の形態に係る香り提供装置の概要を簡単に説明する。図１は、本実施形態に係る香り提供装置１の外観を示す斜視図であり、図２は、香り提供装置１の軸方向断面図である。
【００１５】
本実施形態に係る香り提供装置１は、香料カートリッジ２００と装置本体７００とを備える。装置本体７００は、ハウジング７１０を有し、ハウジング７１０内に、バッテリ８１０、エアポンプ８４０、及び、バッテリ８１０からエアポンプ８４０への電力供給を制御する回路基板８２０が備えられている。装置本体７００の前方側には、香料カートリッジ２００が脱着可能になっている。本実施形態において、香料カートリッジ２００が、香料保持構造体に相当する。
【００１６】
香り提供装置１は、香料カートリッジ２００に設けられた複数の保持空間２３１（図２には一つの保持空間２３１ｃのみ示されている。）から選択される所望の保持空間２３１に空気を流し、それぞれの保持空間２３１に配置された図示しない香料保持体に保持された香料を気化させて放出する。例えば、香り提供装置１は、エアポンプ８４０から供給される空気を香料カートリッジ２００の保持空間２３１を通過させることにより、液体香料又は湿潤状態の香料（以下、まとめて「液体香料」という。）を気化させて空気とともに保持空間２３１から放出させる。
【００１７】
本実施形態に係る香り提供装置１は、例えば、限られた範囲の空間に香りを放出する装置として用いられる。例えば、ユーザが、自身の顔の近くで１回あるいは複数回香り提供装置１から香りを放出させ、気分をリラックスさせる。この場合、香り提供装置１は、高い直進性で香りを放出し、香りを広範囲に拡散しにくくなっているため、周囲の人に香りを感知させにくくすることができる。香り提供装置１は、ユーザによる持ち運びが可能な携帯型であってもよく、据え置き型であってもよい。
【００１８】
＜２．香料カートリッジ（香料保持構造体）＞
次に、本実施形態に係る香料保持構造体としての香料カートリッジ２００について詳細に説明する。
【００１９】
図３〜図７は、香料カートリッジ２００の構成例を説明するための図である。図３は、香料カートリッジ２００の外観を示す斜視図である。図４は、香料カートリッジ２００を前方側から軸方向に見た正面図であり、図５は、香料カートリッジ２００を後方側から軸方向に見た背面図である。図６は、香料カートリッジ２００の軸方向断面図であり、図４及び図５に示すＩ−Ｉ断面の矢視図である。図７は、香料カートリッジ２００の分解斜視図である。
【００２０】
香料カートリッジ２００は、全体として円筒形状の外観を有する。香料カートリッジ２００は、送風源の一例であるエアポンプ８４０から供給される空気を通過させる複数（本実施形態では五つ）の保持空間２３１ａ〜２３１ｅ（以下、特に区別することを要しない場合には、保持空間２３１と総称する。）を有する。保持空間２３１には、液体香料を保持する香料保持体２５１が配置されている。香料は、例えば、精油、あるいは、エタノールで希釈された精油等であってもよい。保持空間２３１は１つであってもよく、あるいは複数であってもよい。
【００２１】
本実施形態に係る香料カートリッジ２００は、ケース２１０、ケースカバー１５０、及び、香料保持体２５１を備えている。ケース２１０は、第１のケース体２１１と、第１のケース体２１１の前方側に固定される第２のケース体１００とを備える。ケースカバー１５０は、ケース２１０の前面に軸回転自在に取り付けられている。香料保持体２５１は、液体香料を保持し、ケース２１０に設けられた複数の保持空間２３１のそれぞれに配置されている。
【００２２】
香料カートリッジ２００は、後端面に、保持空間２３１の数と同数の第１の開口部２２１ａ〜２２１ｅ（以下、特に区別することを要しない場合には、第１の開口部２２１と総称する。）を有する。第１の開口部２２１は、それぞれの保持空間２３１を外部に開放する。本実施形態では、５つの第１の開口部２２１ａ〜２２１ｅが、１つの疑似穴２２３と合わせて、軸回りに６０度等間隔で配置されている。また、香料カートリッジ２００は、先端面に、一つの第２の開口部１５１を有する。第２の開口部１５１は、ケースカバー１５０に設けられており、ケースカバー１５０とケース２１０とが相対的に回転することにより、第２の開口部１５１が、複数の保持空間２３１のうちのいずれかに選択的に連通可能になっている。
【００２３】
これにより、香料カートリッジ２００のケース２１０を一定の回転角度で軸回転させることにより、空気を通過させる保持空間２３１の切り替えが可能になっている。各保持空間２３１に保持される香料は、すべて同一であってもよいし、一部あるいは全部が異なってもよい。各保持空間２３１にすべて同一の香料が保持される場合には、ユーザのお気に入りの香りを長期間にわたって楽しむことができる。また、各保持空間２３１に異なる香料が保持される場合には、空気を供給可能な保持空間２３１を切り替えることによって、放出させる香りを切り替えることができる。したがって、例えば、気分によって香りを切り替えることができる。
【００２４】
本実施形態に係る香料カートリッジ２００では、５つの保持空間２３１が６０度等間隔で配置される一方、１つの空間が疑似空間２３２とされている。疑似空間２３２は、香り提供装置１を使用しない場合にケースカバー１５０の第２の開口部１５１に位置合わせされて、香料カートリッジ２００の各保持空間２３１から香りが逃げ出さないようにされる。なお、保持空間２３１の数は、５個に限られない。また、保持空間２３１の配置位置は等間隔でなくてもよい。
【００２５】
香料カートリッジ２００は、外周面に、香料カートリッジ２００を装着する際の位置決め要素となる突部２１２を有する。突部２１２は、第２のケース体１００の突部１１３と、第１のケース体２１１の突部２１３とが連なるようにして形成され、軸方向に沿う所定の長さを有している。
【００２６】
香料カートリッジ２００は、後端側の外周面に、複数の保持空間２３１及び疑似空間２３２を合わせた数と同数の凹部２１７を備える。本実施形態において、複数の凹部２１７は、周方向に６０度等間隔で設けられている。複数の凹部２１７は、後端面に設けられた第１の開口部２２１及び疑似穴２２３の位置に対応する位置に設けられている。凹部２１７は、装置本体７００に備えられた係合要素と係合することで、ケース２１０を所定の回転位置で固定するとともに、ユーザに対して回転操作感を与える機能を有する。なお、複数の凹部２１７は、第１の開口部２２１及び疑似穴２２３と同じ位相間隔で周方向に設けられていればよく、等間隔で設けられていなくてもよいし、第１の開口部２２１及び疑似穴２２３の位置からずれていてもよい。
【００２７】
香料カートリッジ２００の軸方向の中央部に位置する第１のケース体２１１の外周面のうち、突部２１３を除く部分には、ラベル２５５が貼付されている。ラベル２５５には、例えば、それぞれの保持空間２３１に配置された香料保持体２５１の香りの情報が表示されている。なお、ラベル２５５は備えられていなくてもよい。
【００２８】
以下、香料カートリッジ２００を、構成要素ごとに分けて詳しく説明する。
【００２９】
（第１のケース体）
図８〜図１０は、第１のケース体２１１を説明するために示す図である。図８は、第１のケース体２１１を前方側から軸方向に見た正面図である。図９は、第１のケース体２１１の軸方向断面図であり、図８のＩＩ−ＩＩ断面の矢視図である。図１０は、第１のケース体２１１の周方向断面図であり、図９に示したＩＩＩ−ＩＩＩの位置における断面図に相当する。なお、第１のケース体２１１を後方側から軸方向に見た背面図は、図１１に示した香料カートリッジ２００の背面図に一致する。
【００３０】
第１のケース体２１１は、軸方向長さが直径よりも長い円筒形状の外形を有する。第１のケース体２１１の中央部には、軸方向の両端側に開口した軸方向孔２１５が設けられている。軸方向孔２１５の周りには、複数（本実施形態では５個）の保持空間２３１及び疑似空間２３２が、軸回りに所定の間隔（本実施形態では６０度等間隔）で設けられている。複数の保持空間２３１及び疑似空間２３２は、それぞれ扇状の周方向断面形状を有する。
【００３１】
複数の保持空間２３１及び疑似空間２３２は、それぞれ第１のケース体２１１の前方側に開口している。また、複数の保持空間２３１の後方側は、それぞれ第１の開口部２２１を介して外部に開放されている一方、疑似空間２３２の後方側は閉じられている。複数の保持空間２３１には、それぞれの保持空間２３１の後端部を周方向に区分する第１のリブ２３５ａ〜２３５ｅ（以下、特に区別することを要しない場合には、第１のリブ２３５と総称する。）が形成されている。それぞれの保持空間２３１において、第１の開口部２２１は、第１のリブ２３５により周方向に区分された領域のうちの一方側に配置されている。したがって、複数の第１の開口部２２１も、保持空間２３１の配置に対応して、軸回りに６０度等間隔で配置されている。
【００３２】
第１のケース体２１１の外周面のうち、疑似空間２３２の外周部に相当する位置に、軸方向に沿う所定長さを有する突部２１３が設けられている。突部２１３の前方側に隣接して、第１のケース体２１１の外周面と疑似空間２３２とを連通する孔部２２７が設けられている。かかる孔部２２７は、第２のケース体１００の係合突起（１１７）と共働して第１のケース体２１１と第２のケース体１００とを固定する機能を有する。孔部２２７は、疑似空間２３２に到達しない凹部であってもよい。孔部２２７は、異なる位相位置に複数設けられてよい。
【００３３】
第１のケース体２１１の前方側端部の外周面のうち、疑似空間２３２と保持空間２３１ｅとの境界に位置する部分に、凹部２２９が設けられている。かかる凹部２２９は、第２のケース体１００の凸部１１９と共働して第１のケース体２１１と第２のケース体１００とを組み付ける際の位置決め要素としての機能を有する。第１のケース体２１１に凸部が設けられ、第２のケース体１００に凹部が設けられてもよい。
【００３４】
（第２のケース体）
図１１〜図１４は、第２のケース体１００を説明するために示す図である。図１１は、第２のケース体１００を前方側から軸方向に見た正面図である。図１２は、第２のケース体１００の側面図である。図１３は、第２のケース体１００を後方側から軸方向に見た背面図である。図１４は、第２のケース体１００の軸方向断面図であり、図１１及び図１３のＩＶ−ＩＶ断面の矢視図である。
【００３５】
第２のケース体１００は、軸方向長さが直径よりも短い円筒形状の外形を有する。第２のケース体１００の外周面はローレット加工が施され、周方向に沿って形成された微細な溝が複数設けられている。
【００３６】
第２のケース体１００の中央部には、軸方向の両端側に開口した軸方向孔１１１が設けられている。軸方向孔１１１は、前方側の小径部１１１ａと後方側の大径部１１１ｂとを有する。第２のケース体１００の軸方向孔１１１は、第２のケース体１００が第１のケース体２１１に取り付けられた状態で、第１のケース体２１１の軸方向孔２１５と一体となって一つの軸方向孔を形成可能になっている。軸方向孔１１１の周りには、それぞれ軸方向の両端に開口した複数（本実施形態では五つ）の連通孔１０１ａ〜１０１ｅ（以下、特に区別することを要しない場合には、連通孔１０１と総称する。）が設けられている。複数の連通孔１０１は、一つの疑似孔１０３と合わせて、軸方向孔１１１の周りに等間隔（本実施形態では６０度等間隔）で設けられている。ただし、連通孔１０１の配置位置は等間隔でなくてもよい。
【００３７】
第２のケース体１００が第１のケース体２１１に取り付けられた状態で、複数の連通孔１０１ａ〜１０１ｅは、それぞれ保持空間２３１ａ〜２３１ｅに連通し、保持空間２３１ａ〜２３１ｅを外部に開放する。それぞれの保持空間２３１ａ〜２３１ｅに設けられた第１の開口部２２１ａ〜２２１ｅと第２のケース体１００のそれぞれの連通孔１０１ａ〜１０１ｅとは、軸回りの同位相に位置する。つまり、それぞれの保持空間２３１に設けられた第１の開口部２２１と連通孔１０１とは、軸方向に沿って直線的に結ばれる。
【００３８】
第２のケース体１００の後端面には、それぞれ連通孔１０１ａ〜１０１ｅに隣接して第２のリブ１２１ａ〜１２１ｅ（以下、特に区別することを要しない場合には、第２のリブ１２１と総称する。）が設けられている。第２のリブ１２１は、後方側に延びて立設され、第２のケース体１００が第１のケース体２１１に取り付けられた状態で第２のケース体１００の保持空間２３１内に配置される。また、第２のケース体１００が第１のケース体２１１に取り付けられた状態を軸方向に見たときに、第２のケース体１００の第２のリブ１２１と第１のケース体２１１の第１のリブ２３５とが重なるように配置される。第２のケース体１００の第２のリブ１２１及び第１のケース体２１１の第１のリブ２３５は、保持空間２３１を、連通孔１０１及び第１の開口部２２１に面する領域（通風領域Ａ）と、それ以外の香料保持体２５１が配置される領域（保持領域Ｆ）とに区分する（図８及び図１０を参照。）。
【００３９】
第２のケース体１００は、前方側に、ケースカバー１５０を収容する前方側凹部１０８を有する。また、第２のケース体１００は、後方側に、第１のケース体２１１の先端部を収容する後方側凹部１０９を有する。後方側凹部１０９の内周面には、第１のケース体２１１の孔部２２７に係合する係合突起１１７が設けられている。本実施形態においては、二つの係合突起１１７が設けられている（図１３及び図１４を参照。）。また、後方側凹部１０９の内周面には、第１のケース体２１１の凹部２１９に挿入される凸部１１９が設けられている。
【００４０】
第２のケース体１００を第１のケース体２１１に組み付ける際に、第２のケース体１００及び第１のケース体２１１は、凸部１１９と凹部２１９とを用いて位置合わせされ、係合突起１１７と孔部２２７とを用いて固定される。その際に、第１のケース体２１１の先端部が第２のケース体１００の後方側凹部１０９に装着された状態では、第１のケース体２１１の先端面が第２のケース体１００の後方側凹部１０９の底面に当接し、それぞれの保持空間２３１ａ〜２３１ｅが隔離状態となる。
【００４１】
第２のケース体１００の外周面のうち、疑似孔１０３の配置位置の外周部に相当する位置に、軸方向に沿う所定長さを有する突部１１３が設けられている。第２のケース体１００が第１のケース体２１１に取り付けられた状態で、第２のケース体１００の突部１１３が第１のケース体２１１の突部２１３に連続して配置されて、一体として突部２１２が形成される。
【００４２】
（ケースカバー）
図１５〜図１８は、ケースカバー１５０を説明するために示す図である。図１５は、ケースカバー１５０を前方側から軸方向に見た正面図である。図１６は、ケースカバー１５０を側方から見た側面図であり、図１５に示すケースカバー１５０を上方から見た図に相当する。図１７は、ケースカバー１５０を後方側から軸方向に見た背面図である。図１８は、ケースカバー１５０の軸方向断面図であり、図１５及び図１７のＶ−Ｖ断面の矢視図である。
【００４３】
ケースカバー１５０は、円板部１５３と、円板部１５３から後方側に延びて立設された円柱部１５５とを有する。円柱部１５５は、後端側に開口する中空の円筒形状を有する。円柱部１５５は、第２のケース体１００の軸方向孔１１１及び第１のケース体２１１の軸方向孔２１５内に挿入される。円板部１５３は、適宜の厚さの円板形状を有する。円板部１５３は、第２のケース体１００の前方側凹部１０８内に収容される。ケースカバー１５０は、ケース２１０に対して相対回転可能に取り付けられる。
【００４４】
ケースカバー１５０は、円板部１５３に、軸方向に貫通する第２の開口部１５１を有する。ケース２１０に対するケースカバー１５０の相対回転位置に応じて、第２の開口部１５１は、第２のケース体１００に形成された複数の連通孔１０１のうちのいずれかに連通可能になっている。つまり、第２の開口部１５１はケース２１０に対するケースカバー１５０の相対回転位置に応じて、いずれかの保持空間２３１を外部に開放する。円板部１５３の後端面には、後方側に突出する係合突部１５９が形成されている。係合突部１５９は、例えば０．１５〜０．３ｍｍの高さの微小な突部であり、第２のケース体１００の連通孔１０１に係合可能な位置に設けられている（図６を参照。）。
【００４５】
円柱部１５５は、軸方向に延びるスリット１５５ａを有する。スリット１５５ａには、後述する装置本体７００の基台部の固定軸に設けられた突部（図２６に符号７６８で示す部分。）が挿入される。円柱部１５５は、中空の内部空間の底部に、円柱部１５５の内周面の両側が迫り出して形成された係合凹部１５７を有する。係合凹部１５７には、装置本体７００の基台部の固定軸の先端部に設けられた係合部（図２６及び図２７の符号７６９で示す部分。）が挿入される。円柱部１５５は、前方側の外周面に、回転対称に形成された二つの係止ツメ１５６を有する。係止ツメ１５６は、ケースカバー１５０の円柱部１５５がケース２１０の軸方向孔１１１，１２５に挿入された状態で、第２のケース体１００の軸方向孔１１１の大径部１１１ｂに配置され、小径部１１１ａと大径部１１１ｂとの段差部分に係止される（図３０を参照。）。これにより、ケースカバー１５０がケース２１０から外れにくくなっている。
【００４６】
（香料保持体）
複数の保持空間２３１にそれぞれ配置される香料保持体２５１は、基材を備え、基材に液体香料が保持されている。例えば、香料保持体２５１は、基材としての含浸材に液体香料を含浸させた保持体であってよい。この場合、含浸材としては、例えば、ポリエステルやナイロン、フェルト、あるいはポリアセタール等からなる多孔質体又は繊維体を用いることができる。また、含浸材は、液体香料に対する耐性を有する材料であることが好ましい。液体香料は、例えば、精油、あるいは、エタノールで希釈された精油等であってよい。香料保持体２５１に保持させる液体香料は、それぞれの保持空間２３１ごとに異なっていてもよく、同じであってもよい。
【００４７】
香料保持体２５１は、ケース２１０の保持空間２３１うちの保持領域Ｆに配置される（図６を参照。）。香料保持体２５１の長手方向（香料カートリッジ２００の軸方向）の寸法は、例えば、保持領域Ｆの軸方向長さに一致してよい。また、この場合に、香料保持体２５１の長手方向に直交する断面形状は、保持領域Ｆの周方向断面形状に近似してよい。つまり、香料保持体２５１が保持領域Ｆの空間形状に一致又は近似することにより、香料保持体２５１の体積が比較的大きくなるため、液体香料の保持量を相対的に多くすることができる。
【００４８】
ただし、香料保持体２５１の形状はかかる例に限定されない。例えば、香料保持体２５１は、丸棒や角棒の形態のスティック状であってもよく、板状の基材を打ち抜き加工した台形状であってもよい。図７に例示した香料保持体２５１は、保持空間２３１の保持領域Ｆの軸方向長さと同じ長さを有し、中央部が通風領域Ａ側に近接配置され得る多角形状の板材により構成されている。
【００４９】
（通風領域及び保持領域）
上述したように、それぞれの保持空間２３１は、通風領域Ａ及び保持領域Ｆを有する。通風領域Ａは、軸方向の両端部が第１の開口部２２１及び第２の開口部１５１に面し得る領域である。本実施形態において、それぞれの保持空間２３１の通風領域Ａは、第２のケース体１００の連通孔１０１を介してケースカバー１５０の第２の開口部１５１に面し得る。保持領域Ｆは、通風領域Ａに隣接して配置されるとともに通風領域Ａに連通し、香料保持体２５１が配置される領域である。
【００５０】
通風領域Ａと保持領域Ｆとは、保持空間２３１の後方側で第１のケース体２１１に形成された第１のリブ２３５と、保持空間２３１の前方側で第２のケース体１００に形成された第２のリブ１２１とにより区分されて、隣接して配置されている。通風領域Ａと保持領域Ｆとは、二つのリブ１２１，２３５の間の空間を介して連通している。
【００５１】
図１９及び図２０は、保持空間２３１の通風領域Ａ及び保持領域Ｆを説明するための図である。図１９は、保持空間２３１に香料保持体２５１が配置された第１のケース体２１１を前方側から見た図であり、図２０は、香料保持体２５１が配置された保持空間２３１を模式的に示す軸方向断面図である。
【００５２】
香料カートリッジ２００を軸方向に見たときに、第２のケース体１００の第２のリブ１２１と第１のケース体２１１の第１のリブ２３５とは重なる位置に配置されている。図２０において、二つのリブ１２１，２３５を結ぶ仮想線Ｌよりも上方の空間が、香料保持体２５１が配置された保持領域Ｆであり、仮想線Ｌよりも下方の空間が、第１の開口部２２１及びケースカバー１５０の第２の開口部１５１に面し得る通風領域Ａである。通風領域Ａは、第１の開口部２２１と第２の開口部１５１とを軸方向に沿って直線的に結んでいる。このため、第１の開口部２２１から保持空間２３１内に供給されて連通孔１０１を介して第２の開口部１５１へと流れる空気の通風抵抗が小さくされている。
【００５３】
保持領域Ｆは、通風領域Ａに対して軸方向に交差する方向に隣接して配置されている。保持領域Ｆと通風領域Ａとは、二つのリブ１２１，２３５の間の空間を介して連通している。保持領域Ｆに配置された香料保持体２５１の軸方向の中央部は、二つのリブ１２１，２３５の間の空間内に配置され、通風領域Ａに近接して配置されている。このため、通風領域Ａを通過する空気の流れによって、香料保持体２５１に保持された液体香料が気化されやすくなっている。このとき、香料保持体２５１が含浸材に液体香料を含浸させた形態のものであれば、液体香料が含浸材の通風領域Ａ側に位置する部分に浸透してくるために、香料が継続的に気化されやすくなる。
【００５４】
二つのリブ１２１，２３５は、香料保持体２５１の通風領域Ａ側への移動を制限する規制部としての機能を有している。また、本実施形態において、第１のケース体２１１の保持空間２３１内に第１のリブ２３５により形成されて香料保持体２５１の一端部を収容する凹部２３７が、規制部としての機能を有しているとも言える。
【００５５】
本実施形態に係る香料カートリッジ２００は、保持領域Ｆに配置された香料保持体２５１の側面に、空気が通過する通風領域Ａを有し、通風領域Ａを空気が通過する際に、液体香料が気化されて空気に混合されて放出される。このとき、香料保持体２５１の通風領域Ａ側への移動が制限されているため、通風領域Ａを通過する空気の通風抵抗が増大しないようになっている。また、空気の供給口である第１の開口部２２１から放出口である第２の開口部１５１までの空間が、その他の開放口のない閉空間となっているため、通風によって気化された香料を全て放出口から効率的に放出させることができる。
【００５６】
＜３．香り提供装置の構成例＞
ここまで、本実施形態に係る香料保持構造体としての香料カートリッジ２００の構成例を説明した。次に、香料カートリッジ２００を装着して使用される香り提供装置１の構成例を説明する。
【００５７】
（３．１．全体構成例）
図１及び図２に示したように、香り提供装置１は、香料カートリッジ２００及び装置本体７００を備えている。装置本体７００は、ハウジング７１０内に備えられたバッテリ８１０、回路基板８２０及びエアポンプ８４０の他に、ハウジング７１０の先端側にプリズム部５００、回転操作部６００及びベース部７４０を備える。
【００５８】
プリズム部５００は、透明素材からなり、回転操作部６００内に配置される。プリズム部５００は、回転操作部６００に圧入されてもよいし、適宜の手段により接合あるいは固定されてもよい。図２１及び図２２は、プリズム部５００の構成例を示す説明図である。図２１は、プリズム部５００を軸方向に見た正面図であり、図２２は、プリズム部５００の軸方向断面図である。
【００５９】
プリズム部５００は、香料カートリッジ２００が配置される軸方向孔５３０を有する。軸方向孔５３０の外周面の一部には、香料カートリッジ２００を装着する際の位置決め要素となる位置決め溝５３１が形成されている。プリズム部５００の後方側は、後端部に向けて縮径するテーパ形状を有する。テーパ形状に形成された部分の外面には鏡面仕上げが施され、鏡面部５１０となっている。このため、ユーザが、香り提供装置１の前方側から、プリズム部５００を介して、鏡面部５１０で反射された香料カートリッジ２００の外周面の文字や図柄等を視認することができる。プリズム部５００の構成材料は、形成後に透明性を有するものであれば特に限定されない。例えば、プリズム部５００は、ガラスや水晶、透明樹脂等により形成されていてよい。
【００６０】
図１及び図２に戻り、回転操作部６００は、プリズム部５００及び香料カートリッジ２００の外周に配置されている。回転操作部６００は、一体化された外筒部６１０及び保持部６２０を有する。外筒部６１０は、プリズム部５００が配置される軸方向孔６１１を有し、プリズム部５００の外周に配置される。保持部６２０は、前方側に向けて拡径するテーパ形状を有する錘状部６３０、及び、錘状部６３０の後端部に連設された内筒部６４０を有する。錘状部６３０は、プリズム部５００の鏡面部５１０の外周に配置され、内筒部６４０は、内周部に香料カートリッジ２００を保持する。内筒部６４０の内周部には、プリズム部５００の位置決め溝５３１に連続して配置される位置決め溝６４１が形成されている。
【００６１】
香料カートリッジ２００のケース２１０には、香料カートリッジ２００を装着する際の位置決め要素となる突部２１２が設けられている。突部２１２は、プリズム部５００の位置決め溝５３１及び内筒部６４０の位置決め溝６４１内に配置される。これにより、回転操作部６００に対する香料カートリッジ２００の位置決めが可能になり、かつ、回転操作部６００と香料カートリッジ２００のケース２１０とが一体的に回転可能になっている。
【００６２】
ベース部７４０は、支持部７５０及び基台部７６０を有する。支持部７５０は筒形状を有する。基台部７６０は、支持部７５０の内周部に、軸方向移動可能に支持されている。基台部７６０及び支持部７５０は、ハートカム機構７６３により連結されており、基台部７６０は、支持部７５０に対して、前進位置及び後退位置でそれぞれ保持可能になっている。また、支持部７５０の内周部には、香料カートリッジ２００の後端部が回転自在に支持されている。さらに、支持部７５０の内周部の前方側には、回転操作部６００の保持部６２０の内筒部６４０が回転自在に支持されている。
【００６３】
支持部７５０には、香料カートリッジ２００の後端部の外周面に設けられた凹部２１７に進入可能な係合要素としてのピストン８５５が設けられている。ピストン８５５は、ピストンスプリング８５３により香料カートリッジ２００の外周面に向けて付勢されている。これにより、香料カートリッジ２００を回転させている間は、ピストンスプリング８５３が縮んでピストン８５５が後退し、いずれかの凹部２１７がピストン８５５の位置に一致したときに、ピストン８５５が凹部２１７内に進入する。これにより、香料カートリッジ２００を所定の回転位置に固定したり、ユーザに対して回転操作感を与えたりすることができる。
【００６４】
基台部７６０は、前方側に延びる固定軸７６１を有する。固定軸７６１は、香料カートリッジ２００のケースカバー１５０の円柱部１５５内に挿入される。固定軸７６１の先端には、図示しない係合部（図２６及び図２７の符号７６９で示す部分。）が設けられている。当該係合部は、香料カートリッジ２００のケースカバー１５０の円柱部１５５内において、円柱部１５５内に形成された図示しない係合部に係合し、ケースカバー１５０とベース部７４０との相対回転が規制されている。これにより、一体回転可能な回転操作部６００及び香料カートリッジ２００のケース２１０が、ベース部７４０に対して相対回転可能になっている。
【００６５】
基台部７６０は、軸方向に貫通するエア供給口７６５を有する。エアポンプ８４０は、バッテリ８１０から供給される電力によって駆動されて、エア供給口７６５に空気を導入する。エア供給口７６５に導入された空気は、香料カートリッジ２００に設けられた複数の保持空間２３１のいずれか一つに供給される。
【００６６】
また、基台部７６０は、位置決め用の突部７６４を有する。突部７６４は、回転操作部６００の内筒部６４０に形成された図示しない係止溝部（図２７に符号６４３で示す部分。）に係合可能になっている。具体的に、基台部７６０の突部７６４は、基台部７６０が前進位置で支持部７５０に保持された状態で回転操作部６００の内筒部６４０の係止溝部に係合する。また、基台部７６０の突部７６４は、基台部７６０が後退位置で支持部７５０に保持された状態で内筒部６４０の係止溝部との係合状態から解放される。かかる機構は、香料カートリッジ２００を香り提供装置１から取外した状態で、回転操作部６００とベース部７４０との相対回転を制限する回転ロック機構として機能する。回転ロック機構については、後で詳しく説明する。
【００６７】
エアポンプ８４０は、例えば、圧電素子に対して交流電流を供給することによりダイヤフラムを変形させて空気の吸引及び圧送を行うダイヤフラム式のポンプであってよい。バッテリ８１０は、放電のみを行う交換可能な電池でもよいし、充放電可能な二次電池であってもよい。エアポンプ８４０の駆動の制御は、操作スイッチ７３０を操作することにより行われる。例えば、操作スイッチ７３０を押すことによって、回路基板８２０のスイッチング素子がオンオフされ、バッテリ８１０からエアポンプ８４０へと電力が供給される。これにより、エア供給口７６５を介して香料カートリッジ２００へと空気が供給される。
【００６８】
例えば、操作スイッチ７３０の押下を繰り返すごとに、通電のオンオフが切り替わるようになっていてもよく、操作スイッチ７３０を押下している間、通電がオンの状態で維持されるようになっていてもよい。回路基板８２０上には、香り提供装置１の作動状態を示すＬＥＤ（Light  Emitting  Diode）等の光源に例示されるような他の電子部品が実装されていてもよい。また、香り提供装置１を、リモートコントローラやスマートホン等により操作可能にするには、回路基板８２０上に通信インタフェースが実装されていてもよい。
【００６９】
なお、香料カートリッジ２００に向けて空気を供給する送風源は、エアポンプ８４０に限られず、例えば、ファンを回転させる形式の送風器であってもよい。また、香料カートリッジ２００に向けて空気を供給する送風源は、電動式のものでなくてもよく、手動式のものでもよい。送風源を手動式のものとした場合、バッテリ、操作スイッチ及び回路基板が省略されていてもよい。
【００７０】
図２３及び図２４は、香り提供装置１のシステム構成の一例を示すブロック図である。図２３及び図２４の例において、バッテリ８１０は、回路基板８２０及びスイッチング素子８３０を介して、エアポンプ８４０と電気的に接続されている。操作スイッチ７３０の操作に応じて、バッテリ８１０の電力がエアポンプ８４０に供給される。エアポンプ８４０が駆動され、香料カートリッジ２００の保持空間２３１に空気が供給されると、保持空間２３１内に配置された香料保持体に保持された液体香料が気化し、空気とともに香りが放出される。図２３の例において、回転操作部６００は手動で回転させられ、エアポンプ８４０から供給される空気が導入される香料カートリッジ２００の保持空間２３１が切り替え可能になっている。
【００７１】
また、図２４の例においては、バッテリ８１０は、回路基板８２０及びスイッチング素子８３５を介して、回転操作部６００を回転駆動するモータ８５０と電気的に接続されている。例えば、ユーザによる回転切替スイッチの操作に応じて、バッテリ８１０の電力がモータ８５０に供給され、回転操作部６００が回転駆動される。このようにして、エアポンプ８４０から供給される空気が導入される香料カートリッジ２００の保持空間２３１が切り替え可能になっていてもよい。
【００７２】
（３．２．回転動作）
次に、図２及び図２５を参照して、香り提供装置１における香料カートリッジ２００の回転動作について説明する。図２は、香り提供装置１の未使用時の状態を示し、図２５は、香り提供装置１の使用時の状態を示している。
【００７３】
図２に示すように、香り提供装置１の未使用時においては、香料カートリッジ２００の保持空間２３１はエア供給口７６５に連通されず、エア供給口７６５の出口には、疑似空間２３２が位置合わせされる。ケースカバー１５０の第２の開口部１５１もエア供給口７６５と同位相に位置しているために、第２の開口部１５１には、疑似空間２３２が位置合わせされる。これにより、香料保持体２５１が配置されたすべての保持空間２３１がエア供給口７６５及び第２の開口部１５１に連通しない状態となって、香りの放出が抑制される。
【００７４】
図２５に示すように、香り提供装置１の使用時においては、回転操作部６００を回転させることにより香料カートリッジ２００を一体的に回転させ、所望の保持空間２３１ｅを第１の開口部２２１ｅを介してエア供給口７６５に連通させる。このとき、エア供給口７６５に連通する保持空間２３１ｅは、連通孔１０１ｅを介して第２の開口部１５１に連通する。ユーザは、操作スイッチ７３０を操作して、エアポンプ８４０から保持空間２３１ｅに空気を供給することにより、保持空間２３１ｅ内に配置された図示しない香料保持体２５１に保持された液体香料を気化させて空気とともに放出させることができる。
【００７５】
（３．３．回転ロック機構）
次に、図２６及び図２７を参照して、香り提供装置１の回転ロック機構について説明する。図２６及び図２７は、回転操作部６００の保持部６２０、及び、ベース部７４０の基台部７６０のみを示す斜視図であって、図２７は、図２６の状態から保持部６２０と基台部７６０とを９０度相対回転させた状態を示している。
【００７６】
上述のとおり、保持部６２０の内筒部６４０の内周部には、位置決め溝６４１が形成されている。内筒部６４０の外周部のうち、位置決め溝６４１が設けられた位置から１８０度回転した位置には係合溝部６４３が形成されている。係合溝部６４３には、ベース部７４０の基台部７６０に設けられた突部７６４が係合可能になっている。上述のとおり、ベース部７４０の基台部７６０は、ハートカム機構７６３により、支持部７５０の内周部を軸方向移動可能に支持されている。基台部７６０が前方側に移動した状態で、基台部７６０の突部７６４が保持部６２０の係合溝部６４３内に進入して係合し、基台部７６０が後方側に移動した状態で、突部７６４と係合溝部６４３との係合状態が解除される。図２６及び図２７は、基台部７６０が後方側に移動して、突部７６４と係合溝部６４３との係合状態が解除された状態を示している。
【００７７】
図２８及び図２９を参照して、回転ロック機構の動作について具体的に説明する。図２８は、香り提供装置１の先端部の軸方向断面図であり、図２９は、回転操作部６００の保持部６２０、及び、ベース部７４０の基台部７６０のみを示す斜視図であって、図２８に示す保持部６２０及び基台部７６０を下方側から見た斜視図を示している。図２８及び図２９のそれぞれにおいて、上方には装置本体７００に香料カートリッジ２００が装着された状態が示され、下方には装置本体７００から香料カートリッジ２００が取り外される状態が示されている。
【００７８】
図２８及び図２９の上方に示したように、装置本体７００に香料カートリッジ２００が装着された状態では、ハートカム機構７６３により基台部７６０は後退位置で保持される。このとき、基台部７６０の突部７６４と保持部６２０の内筒部６４０の係合溝部６４３との係合状態は解除されている。したがって、保持部６２０が基台部７６０に対して相対回転可能になり、回転操作部６００と一体回転する香料カートリッジ２００が、装置本体７００に対して回転可能になる。
【００７９】
一方、図２８及び図２９の下方に示したように、香料カートリッジ２００を装置本体７００から取り外す際に、ハートカム機構７６３により基台部７６０は前進位置で保持される。このとき、基台部７６０の突部７６４が保持部６２０の内筒部６４０の係合溝部６４３に係合した状態になる。したがって、保持部６２０と基台部７６０との相対回転が不可能になり、香料カートリッジ２００の脱着時においては、保持部６２０があらかじめ決められた回転位置に保持される。これにより、香料カートリッジ２００を所定の回転位置に合わせて装置本体７００に対して容易に脱着することができる。
【００８０】
（３．４．回転規制機構）
次に、香料カートリッジ２００のケース２１０とケースカバー１５０との回転規制機構について説明する。本実施形態に係る香料カートリッジ２００は、香料カートリッジ２００が装置本体７００に装着されていない状態でケース２１０とケースカバー１５０との相対回転を制限する回転規制機構を有する。
【００８１】
図６に示した香料カートリッジ２００の軸方向断面図において、ケースカバー１５０の円板部１５３の後端面に形成された係合突部１５９は、第２のケース体１００の連通孔１０１ｃ内に進入した状態となっている。この状態において、ケース２１０に対するケースカバー１５０の回転が制限されている。
【００８２】
図３０は、香料カートリッジ２００を装置本体７００に装着する際の回転規制機構の動作を説明するための図である。上述のとおり、ケースカバー１５０とケース２１０とが組付けられた状態では、ケースカバー１５０の円柱部１５５の外周部に設けられた係止ツメ１５６が、第２のケース体１００に設けられた軸方向孔１１１の小径部１１１ａと大径部１１１ｂとの段差部分に係止される。このとき、係止ツメ１５６と段差部分との間に、少なくとも係合突部１５９の高さ以上の間隙Ｓが形成されている（図３０の上方に示した図を参照。）。
【００８３】
香料カートリッジ２００の装着時において、ケースカバー１５０の円柱部１５５の内部空間の底部に設けられた係合凹部１５７に、基台部７６０の固定軸７６１の先端に設けられた係合部７６９が挿入される。このとき、例えば、係合部７６９は係合凹部１５７に対して軽圧入され、上記の間隙Ｓの長さ分、ケースカバー１５０が前方に移動する。その結果、図６に示したケースカバー１５０の係合突部１５９が連通孔１０１ｃよりも前方に移動し、ケース２１０に対するケースカバー１５０の回転が可能になる。これにより、香料カートリッジ２００を装置本体７００に装着した状態において、ケース２１０の回転が可能になる。
【００８４】
かかる回転規制機構により、香料カートリッジ２００の未使用時において、ケースカバー１５０の第２の開口部１５１の回転位置をケース２１０の疑似空間２３２の配置位置に合わせておくことで、香料保持体２５１が配置されたいずれかの保持空間２３１が第２の開口部１５１を介して外部に開放されないようになっている。したがって、香料カートリッジ２００の未使用時において香料の漏出を抑制ことができる。
【００８５】
なお、回転規制機構を構成する係合突部１５９及び連通孔１０１は、係合部及び被係合部の一例であり、係合部及び被係合部はかかる例に限定されない。係合部及び被係合部は、香料カートリッジ２００を装置本体７００に装着する前に係合状態となり、香料カートリッジ２００を装置本体７００に装着した後に係合状態が解除される形態であればよい。
【００８６】
＜４．香料カートリッジ（香料保持構造体）の製造方法＞
次に、図３〜図６に示した本実施形態に係る香料カートリッジ２００の製造方法の一例を説明する。本実施形態に係る香料カートリッジ２００の製造方法は、第１工程〜第４工程を含む。以下、図３１〜図３３を参照しながら、香料カートリッジ２００の製造方法を工程順に説明する。図３１〜図３３は、香料カートリッジ２００を構成する複数の保持空間２３１のうちの一つの保持空間２３１の部分を示した模式図である。
【００８７】
（４．１．第１工程）
第１工程では、図８〜図１０等に例示した第１のケース体２１１を作製する。第１のケース体２１１には、複数の保持空間２３１及び疑似空間２３２が形成される。それぞれの保持空間２３１の後端側には第１のリブ２３５が形成され、保持空間２３１は、第１の開口部２２１が設けられる通風領域Ａと、通風領域Ａに隣接して配置されるとともに通風領域Ａに連通する保持領域Ｆと、に区分される。第１のケース体２１１の作製方法は特に限定されないが、例えば、溶融した樹脂材料を金型に流し込んで固化させることにより成形することができる。用いられる樹脂材料は特に限定されないが、液体香料に対する耐性を有する樹脂材料であることが好ましい。
【００８８】
（４．２．第２工程）
第２工程では、第１のケース体２１１の保持領域Ｆに香料保持体２５１を収容する。例えば、図３１に示すように、あらかじめ液体香料を保持させた香料保持体２５１を、それぞれの保持空間２３１の保持領域Ｆに挿入する。このとき、香料保持体２５１の後端部が、第１のリブ２３５により形成された凹部２３７内に挿入される。それぞれの保持空間２３１に収容される香料保持体２５１に保持される液体香料は、すべて同一であってもよく、一部又は全部が異なってもよい。
【００８９】
なお、第２工程において、保持領域Ｆに液体香料を保持させる前の含浸材を挿入した後に液体香料を投下して、含浸材に液体香料を含浸させてもよい。
【００９０】
（４．３．第３工程）
第３工程では、すべての保持空間２３１に香料保持体２５１が配置された第１のケース体２１１に第２のケース体１００を取り付けてケース２１０を作製する。例えば、図３２に示すように、第２のケース体１００は、第１のケース体２１１のそれぞれの保持空間２３１に連通する複数の連通孔１０１と、それぞれの保持空間２３１内に立設する第２のリブ１２１を有している。第２のケース体１００を第１のケース体２１１に取り付けることにより、第１のリブ２３５及び第２のリブ１２１により香料保持体２５１の通風領域Ａ側への移動が規制される。
【００９１】
（４．４．第４工程）
第４工程では、第２の開口部１５１を有するケースカバー１５０をケース２１０に取り付ける。図３３に示すように、ケースカバー１５０には一つの第２の開口部１５１が設けられており、ケースカバー１５０とケース２１０とは相対回転可能に取り付けられる。したがって、ケース２１０に対するケースカバー１５０の回転位置が切り替わることによって、第２の開口部１５１はいずれかの保持空間２３１に連通孔１０１を介して連通可能になる。図示しないものの、製造時においては、第２の開口部１５１は、第１のケース体２１１に設けられた疑似空間２３２に対応する位置に合わせて取り付けられてもよい。これにより、香料カートリッジ２００の未使用時に、いずれかの保持空間２３１から香りが漏出することが抑制される。
【００９２】
以上説明したように、本実施形態に係る香料カートリッジ２００によれば、香料カートリッジ２００における香料保持体２５１が配置される保持空間２３１が、第１の開口部２２１及び第２の開口部１５１に面し得る通風領域Ａと、通風領域Ａに隣接して配置されるとともに通風領域Ａに連通し、香料保持体２５１が配置される保持領域Ｆを有している。かかる香料カートリッジ２００は、香料保持体２５１の通風領域Ａ側への移動を制限する規制部として第１のリブ２３５と、第１のリブ２３５により形成された凹部２３７と、第２のリブ１２１とを備えている。したがって、香料保持体２５１が通風領域Ａ内に進入して、通風領域Ａを通過する空気の流れを阻害するおそれを低減することができる。このため、通風領域Ａを通過する空気の通風抵抗が低減され、香り提供装置１から放出される香りの流量の低下を抑制することができる。
【００９３】
また、本実施形態に係る香料カートリッジ２００では、規制部が第１のケース体２１１及び第２のケース体１００に形成された第１のリブ２３５及び第２のリブ１２１からなる。このため、香料カートリッジ２００の製造時に、香料保持体２５１を適切に保持空間２３１内に配置し、第１のケース体２１１及び第２のケース体１００を適切に組み付けることによって、香料保持体２５１の移動を制限する構造を容易に形成することができる。特に、本実施形態に係る香料カートリッジ２００は、香料保持体２５１が配置される保持空間２３１を複数備えている。このため、香料保持体２５１を適切に保持空間２３１内に配置し、第１のケース体２１１及び第２のケース体１００を適切に組み付けることによって、それぞれの保持空間２３１において香料保持体２５１の移動を制限する構造を容易に形成することができることは有意義である。
【００９４】
また、本実施形態に係る香料カートリッジ２００において、ケースカバー１５０は、香料カートリッジ２００が装置本体７００に装着されていないときに第２のケース体１００の連通孔１０１ｃに係合し、香料カートリッジ２００が装置本体７００に装着されているときに第２のケース体１００の連通孔１０１ｃとの係合状態が解除される係合突部１５９を有する。このため、香料カートリッジ２００の未使用時において、香料保持体２５１が配置された保持空間２３１を閉じた空間として保持することが可能になり、香料カートリッジ２００の未使用時に香りが漏れ出すことを抑制することができる。
【００９５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９６】
例えば、上記実施形態では、保持空間２３１を通風領域Ａと保持領域Ｆとに区分する第１のリブ２３５及び第２のリブ１２１によって、香料保持体２５１の通風領域Ａ側への移動が制限されていたが、本開示の技術はかかる例に限定されない。例えば、香料保持体２５１が接着性を有している場合には、保持空間２３１のうちの第１の開口部２２１及び第２の開口部１５１に面しない領域の内壁に香料保持体２５１が固定されて、香料保持体２５１の通風領域Ａ側への移動が制限され得る。このように通風領域Ａ及び保持領域Ｆが区分されていても、通風領域Ａを通過する空気の通風抵抗が低減され、香り提供装置１から放出される香りの流量の低下を抑制することができる。
【００９７】
また、上記実施形態では、通風領域Ａは、第１の開口部２２１と第２の開口部１５１とを軸方向に沿って直線的に結んでおり、保持領域Ｆは、通風領域Ａに対して軸方向に交差する方向に隣接して配置されていたが、本開示の技術はかかる例に限定されない。例えば、通風領域Ａが、第１の開口部２２１から第２の開口部１５１に向けてらせん状に又は蛇行して設けられ、保持領域Ｆが、通風領域Ａ内の空気の流れを阻害しないように通風領域Ａの一部又は全部に隣接して配置されていてもよい。通風領域Ａ及び保持領域Ｆがこのように配置されていても、通風領域Ａを通過する空気の通風抵抗が低減され、香り提供装置１から放出される香りの流量の低下を抑制することができる。
【００９８】
なお、以下のような構成も本開示の技術的範囲に属する。
（１）香料保持体と、
前記香料保持体が配置される保持空間と、
前記保持空間を外部に開放する第１の開口部及び第２の開口部と、を備え、
前記保持空間は、
前記第１の開口部及び前記第２の開口部に面する通風領域と、
前記通風領域に隣接して配置されるとともに前記通風領域に連通し、前記香料保持体が配置される保持領域と、を有する、香料保持構造体。
（２）前記通風領域は、前記第１の開口部と前記第２の開口部とを所定方向に沿って直線的に結び、前記保持領域は、前記通風領域に対して前記所定方向に交差する方向に隣接して配置される、前記（１）に記載の香料保持構造体。
（３）前記香料保持体の前記通風領域側への移動を制限する規制部を備える、前記（１）又は（２）に記載の香料保持構造体。
（４）前記規制部が、前記香料保持体の一部を収容する凹部である、前記（３）に記載の香料保持構造体。
（５）前記規制部が、前記通風領域と前記保持領域との間に延びるリブである、前記（３）に記載の香料保持構造体。
（６）前記香料保持構造体は、複数の前記保持空間を有する、前記（１）〜（５）のいずれか１項に記載の香料保持構造体。
（７）前記香料保持構造体は、香り提供装置に装着される香料カートリッジである、前記（１）〜（６）のいずれか１項に記載の香料保持構造体。
（８）前記香料保持構造体は、
前記保持空間及び前記第１の開口部を有するケースと、
前記ケースに取り付けられ前記第２の開口部を有するケースカバーと、を備える、前記（１）〜（７）のいずれか１項に記載の香料保持構造体。
（９）前記香料保持体の前記通風領域側への移動を制限する規制部を備える、前記（８）に記載の香料保持構造体。
（１０）前記規制部が、前記ケースに設けられて前記香料保持体の一部を収容する凹部である、前記（９）に記載の香料保持構造体。
（１１）前記ケースが、前記保持空間を有する第１のケース体と、前記第１のケース体に取り付けられて前記保持空間に連通する連通孔を有する第２のケース体と、を含み、
前記規制部が、前記第２のケース体に形成され前記第１のケース体の前記保持空間内に延びるリブである、前記（９）に記載の香料保持構造体。
（１２）前記ケースは、複数の前記保持空間及び前記第１の開口部を有し、
前記ケースカバーは、一つの前記第２の開口部を有し、
前記ケースカバーは前記ケースに対して回転自在に取り付けられ、前記第２の開口部が複数の前記保持空間のうちのいずれかの保持空間に面する、前記（８）〜（１１）のいずれか１項に記載の香料保持構造体。
（１３）前記香料保持構造体は、香り提供装置に装着される香料カートリッジであり、
前記ケースカバーは、前記香料カートリッジが前記香り提供装置に装着されていないときに前記ケースの被係合部に係合し、前記香料カートリッジが前記香り提供装置に装着されているときに前記ケースの前記被係合部との係合状態が解除される係合部を有する、前記（１２）に記載の香料保持構造体。
（１４）前記保持空間が、前記香料保持構造体の中心軸の周りに等間隔に配置される、前記（１２）又は（１３）に記載の香料保持構造体。
（１５）第１の開口部が設けられる通風領域と、第１のリブによって前記通風領域と区分されて前記通風領域に隣接して配置されるとともに前記通風領域に連通する保持領域と、を有する保持空間を備えた第１のケース体を作製することと、
前記第１のケース体の前記保持領域に香料保持体又は香料保持体の基材を収容することと、
前記第１のケース体の前記保持空間に連通する連通孔及び前記第１のケース体の前記保持空間内に立設する第２のリブを有する第２のケース体を前記第１のケース体に取り付けて、前記第１のリブ及び前記第２のリブにより前記香料保持体の前記通風領域側への移動を制限してケースを作製することと、
第２の開口部を有するケースカバーを前記ケースに取り付けることと、
を含む、香料保持構造体の製造方法。
（１６）香料保持体、前記香料保持体が配置される保持空間、並びに、前記保持空間を外部に開放する第１の開口部及び第２の開口部を有する香料保持構造体と、
前記保持空間へ空気を供給する送風源と、を備え、
前記保持空間は、
前記第１の開口部及び前記第２の開口部に面する通風領域と、
前記通風領域に隣接して配置されるとともに前記通風領域に連通し、前記香料保持体が配置される保持領域と、を有する、香り提供装置。
【符号の説明】
【００９９】
１        香り提供装置
１００    第２のケース体
１０１    連通孔
１２１    第２のリブ（規制部）
１５０    ケースカバー
１５１    第２の開口部
１５３    円板部
１５５    円柱部
１５９    係合突部
２００    香料カートリッジ
２１０    ケース
２１１    第１のケース体
２２１    第１の開口部
２３１    保持空間
２３５    第１のリブ（規制部）
２３７    凹部（規制部）
２５１    香料保持体
７００    装置本体
通風領域  Ａ
保持領域  Ｆ
【図１】
2019053989.tif 000003
【図２】
2019053989.tif 000004
【図３】
2019053989.tif 000005
【図４】
2019053989.tif 000006
【図５】
2019053989.tif 000007
【図６】
2019053989.tif 000008
【図７】
2019053989.tif 000009
【図８】
2019053989.tif 000010
【図９】
2019053989.tif 000011
【図１０】
2019053989.tif 000012
【図１１】
2019053989.tif 000013
【図１２】
2019053989.tif 000014
【図１３】
2019053989.tif 000015
【図１４】
2019053989.tif 000016
【図１５】
2019053989.tif 000017
【図１６】
2019053989.tif 000018
【図１７】
2019053989.tif 000019
【図１８】
2019053989.tif 000020
【図１９】
2019053989.tif 000021
【図２０】
2019053989.tif 000022
【図２１】
2019053989.tif 000023
【図２２】
2019053989.tif 000024
【図２３】
2019053989.tif 000025
【図２４】
2019053989.tif 000026
【図２５】
2019053989.tif 000027
【図２６】
2019053989.tif 000028
【図２７】
2019053989.tif 000029
【図２８】
2019053989.tif 000030
【図２９】
2019053989.tif 000031
【図３０】
2019053989.tif 000032
【図３１】
2019053989.tif 000033
【図３２】
2019053989.tif 000034
【図３３】
2019053989.tif 000035
【国際調査報告】
2019053989.tif 000036
2019053989.tif 000037
2019053989.tif 000038
2019053989.tif 000039